(57)【要約】【課題】      ユーザが不在の複合機へのファクシミリ送信を行い送信が正常に終了すると、ユーザが送信データを確認済みと誤解することを防止する。【解決手段】  複合機が省エネルギモードであれば、ファクシミリ受信を拒否し、ユーザ不在時のファクシミリ受信及び受信文書のプリントアウトを行わない。【選択図】    図４
2008109457.tif 000002
【特許請求の範囲】
【請求項１】
省エネルギモードを備えたファクシミリ装置において、
省エネルギモードに設定するための設定手段と、
省エネルギモード時にファクシミリの着信を禁止するための着信拒否手段とを、設けたことを特徴とする、ファクシミリ装置。
【請求項２】
前記省エネルギモードとして複数のレベルを予め設定し、所定のレベルの省エネルギモードになればファクシミリの着信を拒否することを特徴とする、請求項１のファクシミリ装置。
【請求項３】
省エネルギモードを備えたファクシミリ装置の着信拒否方法であって、
省エネルギモードに移行するためのステップと、
省エネルギモード時にファクシミリの着信を禁止するためのステップとを、設けたことを特徴とする、ファクシミリ装置の着信拒否方法。
【発明の詳細な説明】
【技術分野】
【０００１】
この発明は、ファクシミリ装置に関し、特に省エネルギモードでの着信の拒否に関する。
【背景技術】
【０００２】
ファクシミリ装置の省エネルギモードでは、表示パネルのバックライトを消したり、プリンタの定着機の電源をオフ状態等にしておき、着信要求があった時に一旦省エネルギモードを解除し、ファクシミリの受信処理を行って受信データをプリントアウトし、再度省エネルギモードとしている。
受信側のファクシミリ装置では受信データをプリントアウトするので、ユーザが不在でそのデータを確認していないにもかかわらず、送信側では送信処理が完了したことから送信先ユーザにデータが届いていると錯覚しがちである。特に省エネルギモード時ではファクシミリ受信を行っても、ユーザが不在のことが多い。
【発明の開示】
【発明が解決しようとする課題】
【０００３】
この発明の課題は、ファクシミリ装置が省エネルギモードである時の着信を拒否して、ファクシミリ受信を行わないことにある。
【課題を解決するための手段】
【０００４】
この発明は、省エネルギモードを備えたファクシミリ装置において、省エネルギモードに設定するための設定手段と、省エネルギモード時にファクシミリの着信を禁止するための着信拒否手段とを、設けたことを特徴とする。なおこの発明での省エネルギモードには、複合機が待機中で最小限の電力以外をカットした低電力モード状態だけでなく、いわゆる待機モードにある場合や、スクリーンセーバ時などの広い意味のモードを含む。
【０００５】
好ましくは、前記省エネルギモードとして複数のレベルを予め設定し、所定のレベルの省エネルギモードになればファクシミリの着信を拒否する。
【０００６】
さらにこの発明は、省エネルギモードを備えたファクシミリ装置の着信拒否方法であって、省エネルギモードに移行するためのステップと、省エネルギモード時にファクシミリの着信を禁止するためのステップとを、設けたことを特徴とする。
【発明の効果】
【０００７】
この発明では、省エネルギモード時にファクシミリの着信を拒否できるので、ファクシミリ文書が相手ユーザに届いていると送信側が誤解することはない（請求項１〜３）。またユーザ不在時に、受信文書がプリントアウトされて放置されることがない。
【０００８】
請求項２の発明では、ファクシミリの着信を拒否するための省エネルギモードの複数のレベルを予め設定しておき、設定したレベルに達するまでは着信を行い、その後は着信を拒否する等の細かな処理が可能になる。例えば省エネルギモードでは、まず表示パネルのバックライトを消灯し、さらに所定時間が経過するとプリンタのヒータを待機状態にすると共に着信拒否を設定すると、省エネルギモードへ移行してもさらに所定時間が経過してヒータを待機状態となるまでは着信処理を行う等とすることができる。
【発明を実施するための最良の形態】
【０００９】
以下に本発明を実施するための最適実施例を示す。
【実施例】
【００１０】
図１〜図４に実施例を示す。図１に、Ｇ３ファクシミリやインターネットファクシミリ機能を有する複合機２の構成を示す。４は主制御としてのＣＰＵで、６は公衆電話網に対して呼を確立するための網制御装置（ＮＣＵ：Network Control Unit）で、８は公衆電話回線を介してＧ３ファクシミリデータ等を送受信するためのモデムである。また複合機２は、ＬＡＮインターフェース１０で、ＬＡＮ１２を介し管理者のパーソナルコンピュータ１４やユーザのパーソナルコンピュータ１６等に接続されている。なお１９は、インターネット網である。
【００１１】
２０はコピー機能処理部で、原稿を読み取って画データに変換するためのスキャナと画データをハードコピーするためのプリンタとを用いてコピーを行う。２２はスキャナ機能処理部で、スキャナで画像を読取り、パーソナルコンピュータ等に画像データを送信する等の処理を行う。２４はプリンタ機能処理部で、プリンタにネットワークプリンタ機能を持たせて、ＬＡＮ１２内のパーソナルコンピュータ１４等からの依頼に応じてネットワークプリンタとしてのプリントを行ったり、Ｇ３ファクシミリやインターネットファクシミリで受信したファクシミリ文書をプリントする。２６はＧ３ファクシミリ機能処理部で、公衆回線網を介して従来のＧ３ファクシミリの送信／受信を行う。２８はネットワーク通信部で、インターネットファクシミリや電子メール等の送受信を行う。３０はＬＣＤ等の表示パネル、３２は操作／入力部で、ＬＣＤ表示パネルのタッチパネルやキーボード等を用い、ユーザが省エネルギモードへの移行等を指示する。なお３４は省エネルギモードプログラム５０等を記憶するためのＲＯＭで、３６は各種データ等を記憶するためのＲＡＭである。
【００１２】
３８は省エネルギモード処理部で、複合機２を省エネルギモードへ移行させるための省エネルギモード設定部４０と、省エネルギモードへ移行させるためのユーザの指示を受付けるための省エネルギモード指示受付部４４と、省エネルギモード時にファクシミリの着信を拒否するための設定を行う着信拒否設定部４６とを設ける。省エネルギモードへは、タイマ４２が所定時刻になれば移行させるか、複合機２の待機時間をタイマ４２で求めて所定時間経過すると移行させるか、あるいはユーザが複合機２の側から離れる場合等の指示を省エネルギモード指示受付部４４で受付けて移行させる。実施例では、省エネルギモードへの移行でＧ３ファクシミリ等の着信要求に対し、これを拒否する。すなわち着信拒否設定部４６では、Ｇ３ファクシミリの場合は、呼出信号をＮＣＵ６が検知しても呼出表示信号や回線接続信号を出さないように設定しておく等すれば、送信側では呼出し音はするが接続されないので送信処理を中断する。またインターネットファクシミリ等の場合は、例えばインターネットファクシミリの送信元に対して、ＳＮＭＰ（Simple Network Management Protocol）サーバを介してインターネットファクシミリ受信を行わない旨のコマンドを返す等の処理を行う。
【００１３】
図２に、省エネルギモードプログラム５０を示すと、５２は省エネルギモード設定命令で、タイマ４２やユーザの指示で複合機２を省エネルギモードへと移行させるための命令で、５４は着信拒否命令で、複合機２が省エネルギモードへ移行すればファクシミリの着信を拒否する。
【００１４】
図３（Ａ）は、従来のファクシミリ送信の例を示す図で、図３（Ｂ）は、実施例の複合機２が省エネルギモードでのＧ３ファクシミリ送信があった場合を示す図である。図３（Ａ）では、Ｇ３ファクシミリやインターネットファクシミリ送信の着信要求に応じてこれを受信してプリントアウト処理を行っているので、ユーザの不在時でもプリントアウトされてファクシミリ文書が蓄積してしまう。送信側ユーザは、ファクシミリ送信が正常に終了していることから、送信先のユーザに通知が完了していると認識する。一方、図３（Ｂ）では、Ｇ３ファクシミリ送信が複合機２に着信拒否され、所定回数の再呼出しにも関わらず送信に成功しないので、送信側機器はユーザに対し「送信できなかった」旨の表示を行う。
【００１５】
図４に、複合機が省エネルギモードに移行してファクシミリ送信を着信拒否するための処理を示す。複合機の稼働が所定時間されない時や、終業時刻等省エネルギモードへの移行時刻になった時（Ｓ１）、あるいはユーザが不在に先立ち省エネルギモードボタンを押下した時（Ｓ２）に、省エネルギモードへと移行する（Ｓ３）。そして省エネルギモードへと移行することで着信拒否モードに移行し、ファクシミリ受信を行わない（Ｓ４）。ファクシミリの着信拒否は、省エネルギモードが解除されるまで行う。ユーザが省エネルギモードボタンを押下したり操作を行うことで、省エネルギモードは解除され（Ｓ５，Ｓ６）、また会社の始業時間等所定時刻になれば省エネルギモードを解除する（Ｓ７，Ｓ６）。複合機は省エネルギモードが解除されれば、ファクシミリの着信を行うように着信モードに移行する（Ｓ８）。
【００１６】
図５、図６に、変形例を示す。変形例では、着信拒否設定部４６等に図５の省エネルギモードレベル設定テーブル６０を設け、省エネルギモードに複数のレベルを設定しておき、例えばレベル２になれば着信拒否を行う等とする。変形例でのレベルは、所定時間の間継続して複合機が稼働されない場合の経過時間に対応して設定し、例えば複合機の稼働が２０分間無ければ、レベル２の、プリンタ部ヒータの温度を下げて待機状態として着信拒否を行う、等とする。すなわち変形例では、省エネルギモードへと移行してもレベル１では着信拒否を行わない等と設定することができる。一方、例えば４０分間継続して待機状態にある場合や、夜間９時〜明朝８時までの間は、レベル５の状態で着信を拒否する等と設定することも可能である。変形例では、省エネルギモードレベル設定テーブル６０を用いて経過時間等に応じたレベルの設定を行う一方、ユーザの省エネルギモード指示でレベル２〜５のいずれかに移行させて必ず着信を拒否するや、省エネルギモードへの移行時刻を午後１０時〜明朝７時とするが、着信拒否は深夜のみであるなど、省エネルギモードと着信拒否モードとの組み合わせをきめ細かにユーザがテーブル６０を用いて設定できる。
【００１７】
図６に、変形例でのファクシミリ送信を着信拒否するための処理を示す。着信拒否を行うことを予め定めたレベルの省エネルギモードに移行したことを検出すれば、ファクシミリの着信拒否モードへ移行する（Ｓ２０，Ｓ２１）。変形例の処理では、省エネルギモードの所定レベルになれば着信拒否を行うが、それまでは着信を行う。以下の処理は図４の実施例の場合と同じで、省エネルギモード解除のボタンが押下されたり、ユーザの操作があれば省エネルギモードを解除し（Ｓ２２，Ｓ２３）、あるいは省エネルギモード解除の時刻になれば省エネルギモードを解除して（Ｓ２４，Ｓ２３）、着信可能とする（Ｓ２５）。
【００１８】
実施例では、複合機が省エネルギモードである時のインターネットファクシミリやＧ３ファックシミリの着信を拒否するので、送信側では受信者であるユーザが不在にもかかわらず重要書類等を送信したと誤解することがない。複合機が省エネルギモード時には、ユーザが不在であることが多く、不在であるにも関わらず受信ファクシミリ文書をプリントする等を防止することができる。
【００１９】
省エネルギモードへは、複合機が長時間使用されない場合や、業務時間外や、ユーザの不在時に移行するので、省エネルギモード時に、例えば病院の処方箋等が受付時間を過ぎて送信されてくることを防止する。送信者が処方箋の送信処理を行っても、受付時間外であれば送信することができないので、受付けられていないことを知ることができる。また省エネルギモードへの移行は、ユーザが不在になる時に自分で設定することができるので、留守に先立ち着信拒否を指示することができる。さらに海外からのファクシミリは時差を考慮せずに送信されてくることが多いので、夜間等に着信を拒否することで送信済みとされることを防止することができる。
【００２０】
着信拒否は所定の省エネルギモード時に行うと設定することで、省エネルギモードの内容に応じて着信拒否することができる。例えば、本来省エネルギが目的でないスクリーンセーバ時等では着信拒否を行わない等とし、省エネルギモードの所定のレベルになれば着信を拒否させる、などとすることができる。
【図面の簡単な説明】
【００２１】
【図１】実施例の複合機の構成を示すブロック図
【図２】実施例での、着信拒否プログラムのブロック図
【図３】（Ａ）    従来例でのファクシミリ受信を示す図        （Ｂ）    実施例でのファクシミリ受信を示す図
【図４】実施例での、着信拒否の処理のアルゴリズムを示すフローチャート
【図５】変形例での、省エネルギモードのレベルを定義する図
【図６】変形例での、着信拒否の処理のアルゴリズムを示すフローチャート
【符号の説明】
【００２２】
２                    複合機
４                    ＣＰＵ
６                    ＮＣＵ
８                    モデム
１０                  ＬＡＮインターフェース
１２                  ＬＡＮ
１４                  管理者のパーソナルコンピュータ
１６                  ユーザのパーソナルコンピュータ
２０                  コピー機能処理部
２２                  スキャナ機能処理部
２４                  プリンタ機能処理部
２６                  Ｇ３ファクシミリ機能処理部
２８                  ネットワーク通信部
３０                  ＬＣＤ
３２                  操作／入力部
３４                  ＲＯＭ
３６                  ＲＡＭ
３８                  省エネルギモード処理部
４０                  省エネルギモード設定部
４２                  タイマ
４４                  省エネルギモード指示受付部
４６                  着信拒否設定部
５０                  省エネルギモードプログラム
６０                  省エネルギモードレベル設定テーブル
【図１】
2008109457.tif 000003
【図２】
2008109457.tif 000004
【図３】
2008109457.tif 000005
【図４】
2008109457.tif 000006
【図５】
2008109457.tif 000007
【図６】
2008109457.tif 000008